(57)【特許請求の範囲】
【請求項１】
複数の走査線と、複数の信号線と、前記走査線と前記信号線の交差部に対応して設けられたスイッチング素子と、前記スイッチング素子に対応して設けられた画素電極と、前記走査線に前記スイッチング素子をオン・オフ制御する走査信号を順番に供給する走査線駆動回路とを備えた電気光学装置において、
前記走査線駆動回路と前記走査線の間に配置され、
前段の走査線に走査信号が供給されたときから、後段の走査線に走査信号が供給されるまでの間、自段の走査線と走査線駆動回路を電気的に接続し、前記自段の走査線に供給された走査信号を前記走査線に出力し、
前記後段の走査線に前記走査信号が供給された後、次に前記前段の走査線に走査信号が供給されるまでの間、前記自段の走査線と走査線駆動回路を電気的に遮断し、前記走査信号が供給されていない自段の走査線の状態を、ハイインピーダンスの状態と所定電位が供給される状態とで切り替える走査線制御回路を備えたことを特徴とする電気光学装置。
【請求項２】
請求項１に記載の電気光学装置において、
前記走査線制御回路は、
前段の走査線に供給される走査信号と後段の走査線に供給される走査信号とに基づいて、前記自段の走査線に供給された走査信号の前記走査線への出力を許可／不許可して、自段の走査線への走査信号の出力を制御する制御信号を出力する選択許可回路と、
前記選択許可回路からの制御信号に基づいて、自段の走査線と走査線駆動回路を電気的に接続し、または、遮断するスイッチ素子とを備え、
前記選択許可回路はＳＲフリップフロップ回路で構成されていることを特徴とする電気光学装置。
【請求項３】
請求項１または２に記載の電気光学装置において、
前記画素電極に対向する対向電極を備え、前記対向電極の電位がＬレベルのとき前記走査線の電位が前記所定電位に設定されるようにしたことを特徴とする電気光学装置。
【請求項４】
請求項１または２に記載の電気光学装置において、
前記画素電極に対向する対向電極を備え、前記対向電極の電位がＨレベルのとき前記走査線の電位が前記所定電位に設定されるようにしたことを特徴とする電気光学装置。
【請求項５】
請求項２に記載の電気光学装置において、
前記各選択許可回路は、
前段の走査線に供給される走査信号と後段の走査線に供給される走査信号とに基づいて、自段の走査線への走査信号の出力を制御する前記制御信号としてロー・ハイの組み合わせからなる第１の出力信号と第２の出力信号を出力すると共に、
前記走査線駆動回路の走査方向により、前記第１の出力信号と第２の出力信号を入れ替え、
前記スイッチ素子は、前記第１の出力信号と第２の出力信号のロー・ハイの組み合わせにより、自段の走査線と走査線駆動回路を電気的に接続し、または、遮断することを特徴とする電気光学装置。
【請求項６】
請求項１乃至５のいずれか一つに記載の電気光学装置において、
前記電気光学素子は液晶容量素子であることを特徴とする電気光学装置。
【請求項７】
請求項１乃至６のいずれか一つに記載の電気光学装置を備えたことを特徴とする電子機器。
【発明の詳細な説明】
【０００１】
【発明の属する技術分野】
本発明は、電気光学装置及び電子機器に関する。
【０００２】
【従来の技術】
従来、電気光学装置としての液晶表示装置の一つに、薄膜トランジスタ（ｔｈｉｎ  Ｆｉｌｍ  ｔｒａｎｓｉｓｔｏｒ：以下、「ＴＦＴ」という。）で構成された画素トランジスタを各画素に備えたアクティブマトリクス型液晶表示装置がある。
【０００３】
この種のアクティブマトリクス型液晶表示装置では、画素トランジスタをオフ状態にしたとき、同画素トランジスタのゲートの寄生容量によって液晶容量素子に供給される画像信号の電圧レベルが負極側にシフトする、所謂、フィールドスルー電圧が発生する。この結果、フリッカや残像が発生してしまう。このフィールドスルー電圧の発生を抑制するために、画素電極と前段または後段の走査線との容量成分を形成し、液晶容量に付加する方法が知られている。
【０００４】
また、この種のアクティブマトリクス型液晶表示装置では、対向電極に極性信号を供給することで対向電極電圧の極性を、所定の期間毎に、例えば１走査線毎に反転させるようにした、所謂、コモン反転方式を採用して駆動させる液晶表示装置がある。コモン反転方式を採用して液晶表示装置を駆動させることで、液晶容量素子の焼き付けを抑制することができる。
【０００５】
前記した画素電極と前段または後段の走査線との容量成分を形成し、液晶容量に付加すると共に、コモン反転方式で駆動させるようにした液晶表示装置においては、選択されていない走査線の画素に対してもコモンと同期した交流信号が供給されるようになっている。このとき、コモンと同期した交流信号をタイミング良く供給しないと表示品位が劣化してしまう。
【０００６】
そこで、これを防止するために走査線毎に論理ゲートとその論理ゲートから出力される制御信号に応じてオン・オフ制御されるスイッチ素子を設け、走査線及び次段の走査線に出力される走査信号に基づいてスイッチ素子のオン・オフ状態を制御するようにしたものが知られている（例えば、特許文献１）。
【０００７】
【特許文献１】
実開平７−３３０７５号公報
【０００８】
【発明が解決しようとする課題】
しかしながら、上記特許文献１の液晶表示装置では、次のフレーム期間に再び画像信号が書き込まれるまでの期間はその走査線はハイインピーダンス状態となっており、コモン電極との容量結合によりその走査線に前記交流信号が供給されるようになっている。このとき、前記走査線はハイインピーダンス状態であって理想的な絶縁状態ではない。そのため、リークパスによる電荷の流出入により走査線の電位が予期せぬ変動してしまう場合がある。従って、非選択期間が長く継続していると、その走査線の電位が意図しない電位に遷移してしまう場合がある。その結果、スイッチ素子のオフ状態が維持できなくなるなどの問題が懸念され、画像信号に応じて画素の階調を精度良く制御することができず表示品位が低下してしまう。
【０００９】
そこで、本発明は、このような従来の問題点に鑑みてなされたもので、その目的は、画像信号に応じて精度良く制御することで表示品位を向上することのできる電気光学装置及び電子機器を提供することにある。
【００１０】
【課題を解決するための手段】
本発明の電気光学装置は、複数の走査線と、複数の信号線と、前記走査線と前記信号線の交差部に対応して設けられたスイッチング素子と、前記スイッチング素子に対応して設けられた画素電極と、前記走査線に前記スイッチング素子をオン・オフ制御する走査信号を順番に供給する走査線駆動回路とを備えた電気光学装置において、前記走査線駆動回路と前記走査線の間に配置され、
前段の走査線に走査信号が供給されたときから、後段の走査線に走査信号が供給されるまでの間、自段の走査線と走査線駆動回路を電気的に接続し、前記自段の走査線に供給された走査信号を前記走査線に出力し、
前記後段の走査線に前記走査信号が供給された後、次に前記前段の走査線に走査信号が供給されるまでの間、前記自段の走査線と走査線駆動回路を電気的に遮断し、前記走査信号が供給されていない自段の走査線の状態を、ハイインピーダンスの状態と所定電位が供給される状態とで切り替える走査線制御回路を備えた。
【００１１】
これによれば、走査線制御回路は、後段の走査線に前記走査信号が供給された後、次に前記前段の走査線に走査信号が供給されるまでの間、自段の走査線出力回路と走査線を遮断し、切断し、前記走査信号が供給されていない自段の走査線の状態を、ハイインピーダンスの状態と所定電位が供給される状態とで切り替える。従って、たとえ長い期間選択されていない非選択期間であっても、その走査線が間欠的に所定の電圧に設定されるため、走査線の電位が意図しない電位に遷移してしまうことを抑制することができる。この結果、高品位な表示品位を備えた電気光学装置を提供することができる。
【００１２】
この電気光学装置において、前記選択許可回路はＳＲフリップフロップ回路で構成されていてもよい。
【００１３】
この電気光学装置において、第２電極の電位がＬレベルのとき前記走査線の電位が前記所定電位に設定されてもよい。
これによれば、前記第２電極が他の画素に備えられた電気光学素子の第２電極と共通して接続された、所謂、コモン電極として使用された電気光学装置において、そのコモン電極の電位がＬレベルのとき前記走査線の電位が前記所定電位に設定される。
【００１４】
この電気光学装置において、コモン電極の電位がＨレベルのとき前記走査線の電位が前記所定電位に設定されてもよい。
これによれば、前記第２電極が他の画素に備えられた電気光学素子の第２電極と共通して接続された、所謂、コモン電極として使用された電気光学装置において、そのコモン電極の電位がＨレベルのとき前記走査線の電位が前記所定電位に設定される。
【００１５】
この電気光学装置において、前記各選択許可回路は、第１の出力信号を出力する第１の出力端子と第２の出力信号を出力する第２の出力端子とを備え、切り替えスイッチにより第一の出力端子と第２の出力信号を出力する第２の出力端子とが入れ替わる構成にしてもよい。
【００１６】
これによれば、切り替えスイッチを制御することで走査線方向の逆転にも対応できる回路となる。
【００１７】
この電気光学装置において、前記表示素子は液晶容量素子であってもよい。
これによれば、液晶容量素子を備えた液晶表示装置において、たとえ長い期間選択されていない非選択期間であっても、その走査線の電位が意図しない電位に遷移してしまうことを抑制することで高品位な表示品位を備えた液晶表示装置を実現することができる。
【００１８】
本発明の電子機器は上記電気光学装置を備えた。
これによれば、たとえ長い期間選択されていない非選択期間であっても、その走査線の電位が意図しない電位に遷移してしまうことを抑制することができる電気光学装置を備えた電子機器を実現することができる。この結果、高品位な表示品位の電気光学装置を備えた電子機器を提供することができる。
【００１９】
【発明の実施の形態】
以下、本発明を液晶表示装置に適用した各実施の形態を図面に基づいて説明する。
（第１実施形態）
図１は、液晶表示装置の電気的構成を示すブロック回路図である。図２は、表示パネル部及び走査線制御回路の電気的構成を示す図である。図３は、画素の等価回路図である。図４は、選択許可回路の等価回路図である。
【００２０】
図１に示すように、液晶表示装置１０は、信号制御回路１１、表示パネル部１２、走査線駆動回路１３、走査線制御回路１４ａ及び信号線駆動回路１５を備えている。液晶表示装置１０の信号制御回路１１、走査線駆動回路１３、走査線制御回路１４ａ及び信号線駆動回路１５は、それぞれが独立した電子部品によって構成されていてもよい。例えば、信号制御回路１１、走査線駆動回路１３、走査線制御回路１４ａ及び信号線駆動回路１５が、各々１チップの半導体集積回路装置によって構成されていてもよい。また、信号制御回路１１、走査線駆動回路１３、走査線制御回路１４ａ及び信号線駆動回路１５の全部若しくは一部がプログラマブルなＩＣチップで構成され、その機能がＩＣチップに書き込まれたプログラムによりソフトウェア的に実現されてもよい。また、本発明における液晶表示装置１０はアクティブマトリクス型液晶表示装置であって、対向電極の極性を１水平期間毎に反転させるようにしたコモン反転方式の液晶表示装置である。
【００２１】
信号制御回路１１は、図示しない外部装置から供給されるクロックパルスＣＰ及び画像データＤを入力する。信号制御回路１１は、クロックパルスＣＰに基づいて各第１〜第ｎの走査制御線ＹＳ１〜ＹＳｎ、第１及び第２のダミー走査制御線ＹＳＤ１，ＹＳＤ２（図２参照）を線順次選択するタイミングを決めるための水平同期信号ＨＳＹＮＣを作成する。また、信号制御回路１１は、クロックパルスＣＰに基づいて画像信号Ｄ１，Ｄ２，…，Ｄｍを対応する信号線Ｘ１，Ｘ２，…，Ｘｍ（図２参照）に出力するタイミングを決めるための垂直同期信号ＶＳＹＮＣを作成する。そして、信号制御回路１１は、前記水平同期信号ＨＳＹＮＣを走査線駆動回路１３に出力するとともに、前記垂直同期信号ＶＳＹＮＣを信号線駆動回路１５に出力する。また、信号制御回路１１は、画像データＤを信号線駆動回路１５に出力する。
【００２２】
表示パネル部１２は、図２に示すように、行方向に沿って延設されるｎ本の走査線Ｙ１，Ｙ２，…，Ｙｎを備えている。また、表示パネル部１２は、列方向に沿って延設されるｍ本の信号線Ｘ１，Ｘ２，…，Ｘｍを備えている。尚、本実施形態では、走査線Ｙ１，Ｙ２，…，Ｙｎは、同表示パネル部１２の図中上部側から下部側に向かって第１の走査線Ｙ１、第２の走査線Ｙ２、・・・、第ｎの走査線Ｙｎの順に備えられている。また、表示パネル部１２は、前記走査線Ｙ１，Ｙ２，…，Ｙｎのうちの第１の走査線Ｙ１の上部側（前段）に第１のダミー走査線ＹＤ１を備えている。さらに、表示パネル部１２は、前記走査線Ｙ１，Ｙ２，…，Ｙｎのうちのｎ番目の走査線Ｙｎの下部側（後段）に第２のダミー走査線ＹＤ２を備えている。そして、前記各走査線Ｙ１，Ｙ２，…，Ｙｎと前記各信号線Ｘ１，Ｘ２，…，Ｘｍとの交差部に対応した各位置には画素２０が形成されている。
【００２３】
各画素２０は、前記走査線Ｙ１，Ｙ２，…，Ｙｎを介して走査線制御回路１４ａに接続されている。また、各画素２０は、信号線Ｘ１，Ｘ２，…，Ｘｍを介して信号線駆動回路１５に接続されている。さらに、第１及び第２のダミー走査線ＹＤ１，ＹＤ２は画素２０には接続されていない。(必要があればダミーの画素を設けて接続する構成としてもよい。)
画素２０は、その各々が図３に示すように、画素トランジスタＱｇと、液晶容量素子２１と、この液晶容量素子２１に並列に接続され同液晶容量素子２１のリークを低減するための容量素子である補助容量素子２２とを備えている。尚、図３は、第１の走査線Ｙ１と第１の信号線Ｘ１との交差部に対応する位置に形成された画素２０の等価回路図である。この画素２０の電気的構成は全て同じであるので、説明の便宜上、第１の走査線Ｙ１と第１の信号線Ｘ１との交差部に対応する位置に形成された画素についてのみ以下に説明する。
【００２４】
画素トランジスタＱｇはスイッチング素子として機能するトランジスタである。また、画素トランジスタＱｇは、通常はＴＦＴ（薄膜トランジスタ）で構成されている。画素トランジスタＱｇは、本実施形態においては、その導電型がｎ型である。
【００２５】
画素トランジスタＱｇは、そのゲートが第１の走査線Ｙ１に接続されている。画素トランジスタＱｇのドレインは第１の信号線Ｘ１に接続されている。また、画素トランジスタＱｇのソースは、液晶容量素子２１の画素電極Ｅ１に接続されている。画素電極Ｅ１に対向する位置には液晶を介して対向電極Ｅ２が形成されている。また、画素トランジスタＱｇのソースは、補助容量素子２２の第１の電極Ｐ１に接続されている。補助容量素子２２の第２の電極Ｐ２は、前記対向電極Ｅ２とともに共通配線ＬＧに接続されている。この共通配線ＬＧは、他の画素２０を構成する液晶容量素子２１の対向電極Ｅ２及び補助容量素子２２の第２の電極Ｐ２に共通して接続されている。つまり、本実施形態の液晶表示装置１０はその前記対向電極Ｅ２が、他の画素に備えられた液晶容量素子２１の対向電極Ｅ２と共通して接続された、所謂、コモン電極として使用されている。
【００２６】
走査線駆動回路１３は、図２に示すように、第１〜第ｎの走査制御線ＹＳ１，ＹＳ２，…，ＹＳｎ、第１及び第２のダミー走査制御線ＹＳＤ１，ＹＳＤ２に接続されており、同第１〜第ｎの走査制御線ＹＳ１，ＹＳ２，…，ＹＳｎ、第１及び第２のダミー走査制御線ＹＳＤ１，ＹＳＤ２を介して次段の走査線制御回路１４ａに接続されている。走査線駆動回路１３は、第１のダミー走査制御信号ＳＲＤ１を作成し、その作成された第１のダミー走査制御信号ＳＲＤ１を第１のダミー走査制御線ＹＳＤ１に出力する。
【００２７】
また、走査線駆動回路１３は、第２のダミー走査制御信号ＳＲＤ２を作成し、その作成された第２のダミー走査制御信号ＳＲＤ２を第２のダミー走査制御線ＹＳＤ２に出力する。さらに、走査線駆動回路１３は、第１〜第ｎの走査制御信号ＳＲ１，ＳＲ２，…，ＳＲｎを作成し、その作成された第１〜第ｎの走査制御信号ＳＲ１，ＳＲ２，…，ＳＲｎをそれぞれ対応する第１〜第ｎの走査制御線ＹＳ１，ＹＳ２，…，ＹＳｎに出力する。
【００２８】
そして、走査線駆動回路１３は、前記水平同期信号ＨＳＹＮＣに基づいて、第１〜第ｎの走査制御線ＹＳ１，ＹＳ２，…，ＹＳｎ、第１及び第２のダミー走査制御線ＹＳＤ１，ＹＳＤ２をそれぞれＹＳＤ１→ＹＳ１→ＹＳ２→・・・→ＹＳｎ→ＹＳＤ２→ＹＳＤ１の順番に選択し、図５に示すように、対応する前記各走査制御信号ＳＲＤ１，ＳＲ１，ＳＲ２，…，ＳＲｎ，ＳＲＤ２を出力する。
【００２９】
走査線制御回路１４ａは、表示パネル部１２と走査線駆動回路１３との間に配置されている。そして、走査線制御回路１４ａは前記各走査線Ｙ１，Ｙ２，…，Ｙｎ、第１及び第２のダミー走査線ＹＤ１，ＹＤ２に接続されている。また、走査線制御回路１４ａは、前段の走査線駆動回路１３に備えられた第１〜第ｎの走査制御線ＹＳ１，ＹＳ２，…，ＹＳｎ、第１及び第２のダミー走査制御線ＹＳＤ１，ＹＳＤ２に接続されている。走査線制御回路１４ａは、前記走査線駆動回路１３から出力される第１〜第ｎの走査制御信号ＳＲ１，ＳＲ２，…，ＳＲｎ、第１のダミー走査制御信号ＳＲＤ１及び第２のダミー走査制御信号ＳＲＤ２に基づいて、第１の走査線Ｙ１〜第ｎの走査線Ｙｎ、第１のダミー走査線ＹＤ１及び第２のダミー走査線ＹＤ２を選択駆動するようになっている。
【００３０】
詳述すると、走査線制御回路１４ａは、図２に示すように、第１〜第ｎのスイッチ素子ＳＷ１，ＳＷ２，…，ＳＷｎ（ｎは自然数）、第１のトランジスタＴｒ１及び第２のトランジスタＴｒ２、選択許可回路Ｆａ、極性信号線ＬＰ及び充電電源線ＬＣを備えている。
【００３１】
第１〜第ｎのスイッチ素子ＳＷ１，ＳＷ２，…，ＳＷｎは前記各第１〜第ｎの走査制御線ＹＳ１，ＹＳ２，…，ＹＳｎと対応する走査線Ｙ１，Ｙ２，…，Ｙｎとの間に備えられている。各第１〜第ｎのスイッチ素子ＳＷ１，ＳＷ２，…，ＳＷｎは、選択許可回路Ｆａから出力される第１の出力信号Ｑ１及び第２の出力信号Ｑ２（図５参照）に基づいてオン・オフ制御される。
【００３２】
各第１〜第ｎのスイッチ素子ＳＷ１，ＳＷ２，…，ＳＷｎは選択許可回路ＦａからのＨレベルの第１の出力信号Ｑ１が入力されるとともにＬレベルの第２の出力信号Ｑ２が入力された場合にオン状態になる。その結果、オン状態になったスイッチ素子に接続された走査制御線と走査線とが電気的に接続された状態になる。
【００３３】
また、第１〜第ｎのスイッチ素子ＳＷ１，ＳＷ２，…，ＳＷｎはそれぞれ上記Ｈレベルの第１の出力信号Ｑ１及びＬレベルの第２の出力信号Ｑ２以外の出力信号が入力された場合はオフ状態になる。そして、オフ状態になったスイッチ素子に接続された走査制御線と走査線とは電気的に切断された状態になる。
【００３４】
第１のトランジスタＴｒ１及び第２のトランジスタＴｒ２は対を成し、前記第１〜第ｎのスイッチ素子ＳＷ１，ＳＷ２，…，ＳＷｎの各々に対応して形成されている。第１及び第２のトランジスタＴｒ１，Ｔｒ２は、それぞれ本実施形態においてはその導電型がｎ型のトランジスタである。第１のトランジスタＴｒ１のゲートは対応する前記第１〜第ｎのスイッチ素子ＳＷ１，ＳＷ２，…，ＳＷｎに接続され、選択許可回路Ｆａから出力される第２の出力信号Ｑ２が入力されるようになっている。第１のトランジスタＴｒ１のソースは対応する走査線に接続されている。また、第１のトランジスタＴｒ１のドレインは第２のトランジスタＴｒ２のソースに接続されている。第２のトランジスタＴｒ２のドレインは充電電源線ＬＣに接続されている。また、第２のトランジスタＴｒ２のゲートは極性信号線ＬＰに接続されている。
【００３５】
選択許可回路Ｆａは第１〜第ｎのスイッチ素子ＳＷ１，ＳＷ２，…，ＳＷｎの各々に対応して形成される。選択許可回路Ｆａは、その回路構成が全て同じであるので、以下、第１〜第ｎの走査制御線ＹＳ１，ＹＳ２，…，ＹＳｎのうち第１の走査制御線ＹＳ１に接続された第１のスイッチ素子ＳＷ１に対応して形成された選択許可回路Ｆａについてのみ説明し、他の選択許可回路Ｆａについては、その詳細な説明を省略する。
【００３６】
図４は、第１のスイッチ素子ＳＷ１に対応して形成された選択許可回路Ｆａの等価回路である。選択許可回路Ｆａは、図４に示すように、それぞれが２つの入力端子を備えた第１及び第２のノアー回路２５ａ，２５ｂを互いに電気的に接続した、所謂、ＳＲフリップフロップ回路である。第１のノアー回路２５ａの一方の入力端子は第１のダミー走査制御線ＹＳＤ１に接続され、前記第１のダミー走査制御信号ＳＲＤ１が入力される。第２のノアー回路２５ｂの一方の入力端子は前記第２の走査制御線ＹＳ２に接続され、第２の走査制御信号ＳＲ２が入力される。つまり、前記選択許可回路Ｆａは、自段の第１の走査制御線ＹＳ１より前段に備えられた第１のダミー走査制御線ＹＳＤ１と後段に備えられた第２の走査制御線ＹＳ２とに接続され、第１のダミー走査制御信号ＳＲＤ１及び第２の走査制御信号ＳＲ２を入力する。
【００３７】
選択許可回路Ｆａは、第２の走査制御線ＹＳ２が非選択時（第２の走査制御信号ＳＲ２がＬレベル）であって、第１のダミー走査制御線ＹＳＤ１が選択時（第１のダミー走査制御信号ＳＲＤ１がＨレベル）となる場合、所謂、セット状態になる。セット状態になると選択許可回路Ｆａは、図５に示すように、Ｈレベルの第１の出力信号Ｑ１及びＬレベルの第２の出力信号Ｑ２を出力する。
【００３８】
また、選択許可回路Ｆａは、第１のダミー走査制御線ＹＳＤ１が非選択時（第１のダミー走査制御信号ＳＲＤ１がＬレベル）であって、第２の走査制御線ＹＳ２が選択時（第２の走査制御信号ＳＲ２がＨレベル）である場合、所謂、リセット状態になる。リセット状態になると選択許可回路Ｆａは、図５に示すように、Ｌレベルの第１の出力信号Ｑ１及びＨレベルの第２の出力信号Ｑ２を出力する。つまり、選択許可回路Ｆａは、前段の走査制御線が選択されたときにセット状態になり、後段の走査制御線が選択されるとリセット状態になる。
【００３９】
これによって、選択許可回路Ｆａは、前段の走査制御線が選択されたときから後段の走査線が選択されるまでの間、当該選択許可回路Ｆａに属する走査制御線と走査線とをスイッチ素子を介して電気的に接続する。即ち、選択許可回路Ｆａは、セット状態にあるとき、走査線駆動回路１３から出力される走査制御信号を走査信号として当該走査線に出力することを許可にしている。また、選択許可回路Ｆａは、セット状態にあるとき、当該選択許可回路Ｆａに属する一対の第１及び第２のトランジスタＴｒ１，Ｔｒ２のうち、第１のトランジスタＴｒ１をオフ状態にする。
【００４０】
一方、選択許可回路Ｆａは、リセット状態にあるとき（後段の走査線が選択されて前段の走査制御線が選択されるまでの間）、スイッチ素子にて当該選択許可回路Ｆａに属する走査制御線と走査線とを電気的に遮断する。即ち、走査線駆動回路１３から出力される走査制御信号を走査信号として当該走査線に出力することを不許可にしている。また、このリセット状態にあるとき、選択許可回路Ｆａは、当該選択許可回路Ｆａに属する一対の第１及び第２のトランジスタＴｒ１，Ｔｒ２のうち、第１のトランジスタＴｒ１をオン状態にする。
【００４１】
極性信号線ＬＰは、図２に示すように、走査線Ｙ１，Ｙ２，…，Ｙｎ、第１及び第２のダミー走査線ＹＤ１，ＹＤ２の各々に対して直交するように、即ち、前記各第１及び第２のトランジスタＴｒ１，Ｔｒ２に並行して形成されている。極性信号線ＬＰには、前記信号制御回路１１から出力される水平同期信号ＨＳＹＮＣに従ってＨレベルまたはＬレベルの極性信号ＳＬＰが交互に供給されている。極性信号ＳＬＰは、図５に示すような、１水平期間を示す信号であって、コモン電位に同期して信号レベルがＨレベルとＬレベルとに交互に反転する信号である。この極性信号ＳＬＰは、各第２のトランジスタＴｒ２のゲートに供給される。そして、水平同期信号ＨＳＹＮＣに従って第２のトランジスタＴｒ２をオン・オフ制御する。
【００４２】
充電電源線ＬＣは、図２に示すように、前記極性信号線ＬＰに並行して形成されている。充電電源線ＬＣにはコモン電位がＬ側になったときに画素の保持に必要な電位が供給されている。対向電圧Ｖｃは、図５に示すように、前記極性信号ＳＬＰと同期して反転する信号であって、極性信号ＳＬＰがＨレベルに反転するときＬレベルに反転し、極性信号ＳＬＰがＬレベルに反転するときＨレベルに反転する。充電電源線ＬＣの電圧は、前記第１及び第２のトランジスタＴｒ１，Ｔｒ２がともにオン状態になった期間に、前記第１及び第２のトランジスタＴｒ１，Ｔｒ２を介して対応する走査線に供給される。つまり、各一対の第１及び第２のトランジスタＴｒ１，Ｔｒ２は、選択許可回路Ｆａがリセット状態（走査制御線と走査線とが電気的に遮断された状態）であって、極性信号ＳＬＰがＨレベルのとき、充電電源線ＬＣを介して走査線に充電電源線ＬＣの電圧を供給する。
【００４３】
前記信号線駆動回路１５は、前記信号制御回路１１から出力される前記垂直同期信号ＶＳＹＮＣに基づいて、表示パネル部１２に延設された前記信号線Ｘ１，Ｘ２，…，Ｘｍに対応する画像信号Ｄ１，Ｄ２，…，Ｄｍ（ｍは自然数）を生成する。この画像信号Ｄ１，Ｄ２，…，Ｄｍは信号線駆動回路１５において、前記信号制御回路１１から出力された画像データＤに基づいて生成された電圧信号である。そして、信号線駆動回路１５は、その生成された画像信号Ｄ１，Ｄ２，…，Ｄｍをそれぞれ信号線Ｘ１，Ｘ２，…，Ｘｍを介して選択された走査線上の対応する画素２０に供給する。
【００４４】
次に、以上のように構成された液晶表示装置１０の駆動方法について図５に従って説明する。以下、各画素２０はその動作が全て同じであるので、第１の走査線Ｙ１に接続された各画素２０の動作についてのみ説明する。
【００４５】
図５は、極性信号ＳＬＰ、対向電圧Ｖｃ、第１のダミー走査制御信号ＳＲＤ１、第１及び第２の走査制御信号ＳＲ１，ＳＲ２、第１及び第２の出力信号Ｑ１，Ｑ２、第１及び第２の走査線Ｙ１，Ｙ２の電位のそれぞれのタイミングチャートである。
【００４６】
まず、走査線駆動回路１３から第１のダミー走査制御線ＹＳＤ１を介してＨレベルの第１のダミー走査制御信号ＳＲＤ１が出力される。すると、第１のダミー走査制御線ＹＳＤ１が選択される。このとき、後段の第１及び第２の走査制御線ＹＳ１，ＹＳ２はそれぞれ非選択である（第１の期間Ｔ１）。
【００４７】
その結果、第１の走査制御線ＹＳ１に対応して形成された選択許可回路Ｆａはセット状態になり、走査線駆動回路１３から出力される第１の走査制御信号ＳＲ１が第１の走査信号ＳＣ１として第１の走査線Ｙ１に出力される。このとき、第１の走査制御信号ＳＲ１はＬレベルの走査制御信号なので、第１の走査線Ｙ１に基準電位であるＬレベルの第１の走査信号ＳＣ１が出力される。その結果、第１の走査線Ｙ１に接続された各画素２０の画素トランジスタＱｇは全てオフ状態になる。
【００４８】
また、このとき、前記選択許可回路Ｆａに属する一対の第１及び第２のトランジスタＴｒ１，Ｔｒ２のうち、第１のトランジスタＴｒ１はオフ状態になる。従って、第１の走査線Ｙ１には充電電源線ＬＣの電圧が供給されない。つまり、第１の走査線Ｙ１に接続された各画素２０には、この第１の期間では充電電源線ＬＣの電圧が供給されない。
【００４９】
続いて、走査線駆動回路１３が第１のダミー走査制御信号ＳＲＤ１をＨレベルからＬレベルにすると、第１のダミー走査制御線ＹＳＤ１が非選択状態になる。その結果、前記選択許可回路ＦａはＨレベルの第１の出力信号Ｑ１及びＬレベルの第２の出力信号Ｑ２を出力し続ける。従って、第１の走査制御線ＹＳ１は前記第１のスイッチ素子ＳＷ１を介して第１の走査線Ｙ１と電気的に接続された状態を保持する。
【００５０】
そして、この状態で、走査線駆動回路１３からＨレベルの第１の走査制御信号ＳＲ１が出力される（第２の期間Ｔ２）。この結果、第１の走査線Ｙ１にはＨレベルの第１の走査信号ＳＣ１が出力される。このことによって、第１の走査線Ｙ１に接続された一行分の画素２０が全て選択される。そして、このタイミングで前記信号線駆動回路１５から画像信号Ｄ１，Ｄ２，…，Ｄｍが対応する信号線Ｘ１，Ｘ２，…，Ｘｍを介して各画素２０に供給される。
【００５１】
その後、再び、第１の走査制御信号ＳＲ１がＨレベルからＬレベルになると、第１の走査線Ｙ１に接続された前記各画素２０が全て非選択になる。従って、このタイミングで前記画像信号Ｄ１，Ｄ２，…，Ｄｍの各画素２０への供給が終了する。この結果、前記画像信号Ｄ１，Ｄ２，…，Ｄｍに応じて各画素２０の階調が制御される。
【００５２】
その後、走査線駆動回路１３から第２の走査制御線ＹＳ２にＨレベルの走査制御信号ＳＲ２がそれぞれ出力されると、第２の走査制御線ＹＳ２が選択される（第３の期間Ｔ３）。
【００５３】
その結果、第１の走査制御線ＹＳ１に対応して形成された選択許可回路Ｆａはリセット状態になり、第１の走査制御線ＹＳ１と第１の走査線Ｙ１とが電気的に遮断される。また、この第３の期間Ｔ３においては、前記選択許可回路ＦａからＨレベルの第２の出力信号Ｑ２を出力される。この結果、第１のトランジスタＴｒ１はオン状態になる。また、このとき、第２のトランジスタＴｒ２のゲートには、Ｌレベルの極性信号ＳＬＰが供給されているので、第２のトランジスタＴｒ２はオフ状態となる。従って、この第３の期間Ｔ３においては、第１の走査線Ｙ１は充電電源線ＬＣと電気的に遮断されてハイインピーダンス状態になる。
【００５４】
その後、前記第１のダミー走査制御線ＹＳＤ１が選択されるまでの間、第１のスイッチ素子ＳＷ１がオフ状態となり第１の走査制御線ＹＳ１と第１の走査線Ｙ１とが電気的に遮断される。そして、この期間において、前記極性信号ＳＬＰと同期して極性信号ＳＬＰがＨレベルになったとき、充電電源線ＬＣを介して第１の走査線Ｙ１に充電電源線ＬＣの電圧が供給される。
【００５５】
以後、他の走査制御線に対しても前記と同様にして、走査線駆動回路１３が第１〜第ｎの走査制御線ＹＳ１，ＹＳ２，…，ＹＳｎ、第１及び第２のダミー走査制御線ＹＳＤ１，ＹＳＤ２をＹＳＤ１→ＹＳ１→ＹＳ２→・・・→ＹＳｎ→ＹＳＤ２→ＹＳＤ１の順番で線順次選択する。そして、前記走査線制御回路１４ａが第１のダミー走査制御線ＹＳＤ１と第１のダミー走査線ＹＤ１との電気的接続を、第２のダミー走査制御線ＹＳＤ２と第２のダミー走査線ＹＤ２との電気的接続を、及び、第１〜第ｎの走査制御線ＹＳ１，ＹＳ２，…ＹＳｎと第１〜第ｎの走査線Ｙ１，Ｙ２，…Ｙｎとの電気的接続を線順次制御する。そして、信号線駆動回路１５が各第１〜第ｎの走査線Ｙ１，Ｙ２，…，Ｙｎの一行毎に対応する画像信号Ｄ１，Ｄ２，…，Ｄｍを順次供給することで各画素２０の階調が制御される。その結果、表示パネル部１２には画像信号Ｄ１，Ｄ２，…，Ｄｍに応じた画像を表示することができる。
【００５６】
上記のように構成された液晶表示装置１０では、前段の走査制御線と後段の走査制御線にそれぞれ供給される第１〜第ｎの走査制御信号ＳＲ１，ＳＲ２，…，ＳＲｎまたは第１及び第２のダミー走査制御信号ＳＲＤ１，ＳＲＤ２に基づいて、自段の走査制御線とその走査制御線に対応する走査線とを電気的に接続または切断する選択許可回路Ｆａを備えた走査線制御回路１４ａを配置している。そして、この選択許可回路Ｆａは、例えば、第１の走査制御線ＹＳ１と第１の走査線Ｙ１とが電気的に切断されている期間では、水平同期信号ＨＳＹＮＣの周期に応じて、第１の走査線Ｙ１に充電電源線ＬＣの電圧が供給される状態と第１の走査線Ｙ１がハイインピーダンス状態とを間欠的に切り替えるようにした。
【００５７】
従って、非選択期間が長くても、第１の走査線Ｙ１の電位が間欠的に充電電源線ＬＣの電圧に設定される。この結果、第１の走査線Ｙ１が意図しない電位に遷移してしまうことを抑制することができる。つまり、例えば対向電極Ｅ２との容量結合によって第１〜第ｎの走査線Ｙ１，Ｙ２，…，Ｙｎの電位変動が過大になる前にその変動を前記水平同期信号ＨＳＹＮＣの周期に応じて是正できる。その結果、画像信号Ｄ１，Ｄ２，…，Ｄｎをタイミング良く各画素２０に供給することができる。このことから高品位な表示品位を備えた液晶表示装置を提供することができる。また、前記選択許可回路Ｆａは公知のＳＲフリップフロップ回路で構成されている。従って、新規な回路を構成することなく、選択許可回路Ｆａを構成することができる。
【００５８】
尚、特許請求の範囲に記載された第１電極、第２電極及びスイッチング素子はそれぞれ本実施形態における画素電極Ｅ１、対向電極Ｅ２及び画素トランジスタＱｇに対応している。また、特許請求の範囲に記載された切替回路は、本実施形態における第１のトランジスタＴｒ１及び第２のトランジスタＴｒ２に対応している。さらに、特許請求の範囲に記載された電気光学装置及び電気光学素子は、それぞれ本実施形態における液晶表示装置１０及び液晶容量素子２１に対応している。
【００５９】
前記実施形態によれば、以下のような特徴を得ることができる。
（１）前記実施形態では、液晶表示装置１０は表示パネル部１２と走査線駆動回路１３との間に、各第１〜第ｎの走査線Ｙ１，Ｙ２，…，Ｙｎに、前段に形成された走査制御線に供給される走査制御信号と後段に形成された走査制御線に供給される走査制御信号とに基づいて、自段の走査線への走査信号の出力を許可または不許可する選択許可回路Ｆａを備えた走査線制御回路１４ａを配置した。そして、前記自段の走査線への走査信号の出力を許可しない場合、その自段の走査線を極性信号ＳＬＰに応じて充電電源線ＬＣの電圧を供給するまたはハイインピーダンス状態に前記水平同期信号ＨＳＹＮＣの周期に応じて設定するようにした。即ち、非選択期間が長くても、第１の走査線Ｙ１の電位が水平同期信号ＨＳＹＮＣの周期に応じて充電電源線ＬＣの電圧に設定される。この結果、走査線が意図しない電位に遷移してしまうことを抑制することができる。従って、画像信号Ｄ１，Ｄ２，…，Ｄｎをタイミング良く画素２０に供給することができるので、画素２０の階調を精度良く制御することができる。このことから高品位な表示品位を備えた液晶表示装置を提供することができる。
【００６０】
（２）前記実施形態では、選択許可回路Ｆａを２つの第１及び第２のノアー回路２５ａ，２５ｂを互いに電気的に接続した、所謂、ＳＲフリップフロップ回路で構成した。従って、新規な回路を構成するのではなく、公知のＳＲフリップフロップ回路を使用することで選択許可回路Ｆａを容易に構成することができる。
（第２実施形態）
次に、本発明を具体化した第２実施形態を図６及び図７に従って説明する。図６は、本発明の第２実施形態に係る表示パネル部及び走査線制御回路の電気的構成を示す図である。図７は、本発明の第２実施形態に係る走査線制御回路に形成される選択許可回路の回路図である。
【００６１】
この第２実施形態の液晶表示装置１０の構成においては、走査線制御回路及び選択許可回路の構成を図６及び図７に示す構成にしたこと以外は前記第１の実施形態と同じである。従って、この第２実施形態において、前記第１実施形態と同じ構成部材については符号を等しくし、その詳細な説明は省略する。
【００６２】
図６に示すように、本実施形態における走査線制御回路１４ｂは、シフト方向切り替え信号ＤＩＲが入力される構成になっている。このシフト方向切り替え信号ＤＩＲは、各第１〜第ｎの走査線Ｙ１，Ｙ２，…，Ｙｎを順次選択駆動させる方向を切り替える旨の信号である。また、シフト方向切り替え信号ＤＩＲは、本実施形態においては、信号制御回路１１から出力される構成になっている。そして、このシフト方向切り替え信号ＤＩＲは、各選択許可回路Ｆｂに入力されるようになっている。
【００６３】
走査線制御回路１４ｂは、各第１〜第ｎのスイッチ素子ＳＷ１，ＳＷ２，…，ＳＷｎに対応して形成された選択許可回路Ｆｂを備えている。この選択許可回路Ｆｂは、その回路構成が全て同じであるので、以下、第１〜第ｎの走査制御線ＹＳ１，ＹＳ２，…，ＹＳｎのうち第１の走査制御線ＹＳ１に接続された第１のスイッチ素子ＳＷ１に対応して形成された選択許可回路Ｆｂについてのみ説明し、他の選択許可回路Ｆｂについては、その詳細な説明は省略する。
【００６４】
選択許可回路Ｆｂは、図７に示すように、それぞれが２つの入力端子を備えた第１及び第２のノアー回路２５ａ，２５ｂと２つの第１及び第２の切り替えスイッチＳ１，Ｓ２を備えている。第１のノアー回路２５ａは、第１出力端子Ｋ１と第２出力端子Ｋ２とを備えている。第１及び第２出力端子Ｋ１，Ｋ２からはともに第１の出力信号Ｑ１が出力される。また、第２のノアー回路２５ｂは、第３出力端子Ｋ３と第４出力端子Ｋ４とを備えている。第３及び第４出力端子Ｋ３，Ｋ４からはともに第２の出力信号Ｑ２が出力される。
【００６５】
また、第１のノアー回路２５ａから出力される第１の出力信号Ｑ１は第２のノアー回路２５ｂの一方の入力端子に入力されるようになっている。同様に、第２のノアー回路２５ｂから出力される第２の出力信号Ｑ２は第１のノアー回路２５ａの一方の入力端子に入力されるようになっている。
【００６６】
そして、前記第１及び第３出力端子Ｋ１，Ｋ３のいずれか一方は第１の切り替えスイッチＳ１によって切り替え制御されて第１の出力ポートＵ１に接続されるようになっている。この第１の出力ポートＵ１は対応する第１〜第ｎのスイッチ素子ＳＷ１，ＳＷ２，…，ＳＷｎに接続されている。また、前記第２及び第４出力端子Ｋ２，Ｋ４のいずれか一方は第２の切り替えスイッチＳ２によって切り替え制御されて第２の出力ポートＵ２に接続されるようになっている。この第２の出力ポートＵ２はスイッチ素子のインバータ及び対応する第１のトランジスタＴｒ１に接続されている。
【００６７】
第１及び第２の切り替えスイッチＳ１，Ｓ２はともに、前記シフト方向切り替え信号ＤＩＲによって切り替え制御される。詳しくは、シフト方向切り替え信号ＤＩＲには、正転方向信号と反転方向信号とがある。正転方向信号のシフト方向切り替え信号ＤＩＲが入力すると、全ての選択許可回路Ｆｂは、その各第１の切り替えスイッチＳ１を制御して第１出力端子Ｋ１と第１の出力ポートＵ１とを接続し、且つ、第２の切り替えスイッチＳ２を制御して第４出力端子Ｋ４と第２の出力ポートＵ２とを接続する。その結果、各選択許可回路Ｆｂはその第１のノアー回路２５ａから出力される第１の出力信号Ｑ１が前記第１の出力ポートＵ１を介して出力され、対応するスイッチ素子に入力される。また、各選択許可回路Ｆｂはその第２のノアー回路２５ｂから出力される第２の出力信号Ｑ２が前記第２の出力ポートＵ２を介して出力され、対応するスイッチ素子のインバータ及び第１のトランジスタＴｒ１のゲートに入力される。このようにすることで、走査線制御回路１４ｂは第１〜第ｎの走査制御線ＹＳ１，ＹＳ２，…，ＹＳｎ、及び、第１及び第２のダミー走査制御線ＹＳＤ１，ＹＳＤ２をＹＳＤ１→ＹＳ１→ＹＳ２→・・・→ＹＳｎ→ＹＳＤ２の順番に選択する。この結果、画像の上側を第１の走査線Ｙ１側に表示させ、下側を第ｎの走査線Ｙｎ側に表示させるようにすることができる。
【００６８】
また、反転方向信号のシフト方向切り替え信号ＤＩＲが入力すると、全ての選択許可回路Ｆｂは、その各第１の切り替えスイッチＳ１を制御して第３出力端子Ｋ３と第１の出力ポートＵ１とを接続し、且つ、第２の切り替えスイッチＳ２を制御して第２出力端子Ｋ２と第２の出力ポートＵ２とを接続する。その結果、各選択許可回路Ｆｂはその第１のノアー回路２５ａから出力される第１の出力信号Ｑ１が前記第２の出力ポートＵ２を介して出力され、対応するスイッチ素子に入力される。また、各選択許可回路Ｆｂはその第２のノアー回路２５ｂから出力される第２の出力信号Ｑ２が前記第１の出力ポートＵ１を介して出力され、対応するスイッチ素子のインバータ及び第１のトランジスタＴｒ１のゲートに入力される。このようにすることで、本実施形態における走査線制御回路１４ｂは第１〜第ｎの走査制御線ＹＳ１，ＹＳ２，…，ＹＳｎ、及び、第１及び第２のダミー走査制御線ＹＳＤ1，ＹＳＤ２をＹＳＤ２→ＹＳｎ→・・・→ＹＳ２→ＹＳ１→ＹＳＤ１の順番に選択する。この結果、画像の上側を第１の走査線Ｙ１側に表示させ、下側を第ｎの走査線Ｙｎ側に表示させるようにすることができる。
【００６９】
前記実施形態によれば、以下のような特徴を得ることができる。
（１）前記実施形態では、それぞれが２つの入力端子を備えた第１及び第２のノアー回路２５ａ，２５ｂと２つの第１及び第２の切り替えスイッチＳ１，Ｓ２とで選択許可回路Ｆｂを構成した。そして、順方向信号のシフト方向切り替え信号ＤＩＲが各第１及び第２の切り替えスイッチＳ１，Ｓ２を制御することで第１の出力信号Ｑ１が第１の出力ポートＵ１を介して対応するスイッチ素子に入力されるとともに、第２の出力信号Ｑ２が第２の出力ポートＵ２を介して対応するスイッチ素子のインバータ及び第１のトランジスタＴｒ１のゲートに入力されるようにした。このようにすることで、第１〜第ｎの走査線Ｙ１，Ｙ２，…，ＹｎがＹ１→Ｙ２→・・・→Ｙｎの順番に選択される。また、反転方向信号のシフト方向切り替え信号ＤＩＲが各第１及び第２の切り替えスイッチＳ１，Ｓ２を制御することで第１の出力信号Ｑ１が第２の出力ポートＵ２を介して対応するスイッチ素子のインバータ及び第１のトランジスタＴｒ１のゲートに入力されるとともに、第２の出力信号Ｑ２が第１の出力ポートＵ１を介して対応するスイッチ素子に入力されるようにした。このようにすることで、第１〜第ｎの走査線Ｙ１，Ｙ２，…，ＹｎがＹｎ→Ｙｎ−１→・・・→Ｙ２→Ｙ１の順番に選択される。
【００７０】
この結果、表示パネル部１２上に画像を上下反転して表示させることができる液晶表示装置を提供することができる。
（第３実施形態）
次に、第１〜３実施形態で説明した電気光学装置としての液晶表示装置１０の電子機器の適用について図８に従って説明する。液晶表示装置１０は、モバイル型のパーソナルコンピュータ、携帯電話、デジタルカメラ等種々の電子機器に適用できる。
【００７１】
図８は、モバイル型パーソナルコンピュータの構成を示す斜視図を示す。図８において、パーソナルコンピュータ５０は、キーボード５１を備えた本体部５２と、前記液晶表示装置１０を用いた表示ユニット５３とを備えている。この場合においても、液晶表示装置１０を用いた表示ユニット５３の表示品位を向上させることができる。
【００７２】
尚、発明の実施形態は、上記実施形態に限定されるものではなく、以下のように実施してもよい。
○上記第１及び第２実施形態では、２つの第１及び第２のノアー回路２５ａ，２５ｂで選択許可回路Ｆａ，Ｆｂを構成したが、これに限定されるものではなく、図９に示すように、２つのインバータ回路６０ａ，６０ｂと２つのナンド回路６５ａ，６５ｂとを用いて選択許可回路Ｆｃを形成してもよい。図９は、このようにすることで上記実施形態と同様の効果を得ることができる。
【００７３】
○上記第１〜第３実施形態では、１色からなる液晶容量素子２１を設けた液晶表示装置１０であったが、フルカラー表示可能な液晶容量素子を設けた液晶表示装置に応用してもよい。
【００７４】
○上記実施形態では、液晶容量素子２１を備えた表示装置に具体化して好適な効果を得たが、液晶容量素子２１以外の電気光学素子を備えた表示装置に具体化してもよい。
【図面の簡単な説明】
【図１】  液晶表示装置の電気的構成を示すブロック回路図である。
【図２】  第１実施形態に係る表示パネル部及び走査線制御回路の電気的構成を示す図である。
【図３】  画素の等価回路図である。
【図４】  第１実施形態に係る選択許可回路の回路図である。
【図５】  極性信号、対向電圧、第１のダミー走査制御信号、第１及び第２の走査制御信号、第１及び第２の出力信号、第１及び第２の走査線の電位のそれぞれのタイミングチャートである。
【図６】  第２実施形態に係る表示パネル部及び走査線制御回路の電気的構成を示す図である。
【図７】  第２実施形態に係る選択許可回路の回路図である。
【図８】  第３実施形態を説明するためのモバイル型パーソナルコンピュータの構成を示す斜視図である。
【図９】  別例の選択許可回路を説明するための図である。
【符号の説明】
Ｅ１…第１電極としての画素電極、Ｅ２…第２電極としての対向電極、Ｆａ，Ｆｂ，Ｆｃ…選択許可回路、Ｑｇ…スイッチング素子としての画素トランジスタ、ＳＬＰ…極性信号、ＳＣ１，ＳＣ２，…，ＳＣｎ…走査信号、Ｔｒ１，Ｔｒ２…切替回路としての第１のトランジスタ及び第２のトランジスタ、Ｘ１〜Ｘｍ…信号線、Ｙ１〜Ｙｎ…走査線、１０…電気光学装置としての液晶表示装置、２０…画素、２１…電気光学素子としての液晶容量素子、５０…電子機器としてのモバイル型パーソナルコンピュータ。
【図１】
0004821083.tif 000002
【図２】
0004821083.tif 000003
【図３】
0004821083.tif 000004
【図４】
0004821083.tif 000005
【図５】
0004821083.tif 000006
【図６】
0004821083.tif 000007
【図７】
0004821083.tif 000008
【図８】
0004821083.tif 000009
【図９】
0004821083.tif 000010